(57)【要約】本発明は、通信信号の自己適応伝送方法及びシステムを開示している。前記方法は、ホストが自身の位置情報及び各端末の位置情報を獲得し、獲得した位置情報に基づいて自身と各端末との間の相対位置関係を計算して得るステップと、ホストが自身と各端末との間の相対位置関係に基づき、伝送すべき各通信信号と各端末とをマッチングし、マッチング後の対応関係に応じて各端末へ相応の通信信号を無線伝送するステップとを含む。本発明によれば、有線伝送の複雑な配線及び挿線プロセスが省略できるとともに、信号の自己適応伝送が実現され、ジョブ効率が向上した。【選択図】図１
2015503868.tif 000002
【特許請求の範囲】
【請求項１】
１つのホストと複数の端末とを含むシステムに用いられる通信信号の自己適応伝送方法であって、
ホストが、自身の位置情報及び各端末の位置情報を獲得し、獲得した位置情報に基づいて自身と前記各端末との間の相対位置関係を計算して得るステップと、
前記ホストが、自身と前記各端末との間の相対位置関係に基づき、伝送すべき各通信信号と前記各端末とをマッチングし、マッチング後の対応関係に応じて前記各端末へ相応の通信信号を無線伝送するステップと、を含むことを特徴とする方法。
【請求項２】
前記ホストが自身の位置情報及び前記各端末の位置情報を獲得する処理は、
前記ホスト及び前記各端末がいずれも定位モジュールを含み、前記ホストが各定位モジュール同士間の協働を介して自身の位置情報及び前記各端末の位置情報を獲得する処理を含み、
前記定位モジュールは、ＧＰＳモジュール、マイクロホンアレイ、又は、３Ｇネットワーク受信機であることを特徴とする請求項１に記載の方法。
【請求項３】
前記の伝送すべき各通信信号と前記各端末とをマッチングする処理は、
前記ホストが自動制御リレーを用いて、まず前記各端末を前記自動制御リレーの通信チャネルとリングし、次に、前記自動制御リレーにおける物理リンクの切り替えを介して、各通信信号と各通信チャネルとの対応付けを実現する処理を含むか、
若しくは、前記ホストがソフトウェアマッチング方式を用いて、まず、異なるアドレスの通信チャネルインターフェースが異なるパケットを伝送するように、前記各端末と各通信チャネルインターフェースとをマッチングし、次に、各通信信号パケットの目的通信チャネルインターフェースアドレスを変更することで、前記各通信信号と前記各通信チャネルインターフェースとの対応付けを実現する処理を含むことを特徴とする請求項１に記載の方法。
【請求項４】
前記通信信号は、音声信号、制御信号及び映像信号のいずれか一種又は多種を含み、
前記ホストは音声信号を再生するデバイスであり、前記端末はスピーカーであるか、
若しくは、前記ホストは制御ホストであり、前記端末は信号灯であるか、
若しくは、前記ホストは映像信号を再生するデバイスであり、前記端末は表示スクリーンであることを特徴とする請求項１に記載の方法。
【請求項５】
複数のピアデバイスからなるシステムに応用されるとき、さらに、プリセット方式を用いて前記複数のピアデバイスから１つのデバイスを選出して前記ホストとし、その他のデバイスを前記端末とする処理を含むことを特徴とする請求項１に記載の方法。
【請求項６】
自身の位置情報及び各端末の位置情報を獲得し、獲得した位置情報に基づいて自身と前記各端末との間の相対位置関係を計算して得て、自身と前記各端末との間の相対位置関係に基づき、伝送すべき各通信信号と前記各端末とをマッチングし、マッチング後の対応関係に応じて前記各端末へ相応の通信信号を無線伝送するための１つのホストと、
自身の位置情報を獲得して前記ホストに伝送し、前記ホストから伝送される通信信号を受信するための複数の端末と、を含むことを特徴とする通信信号の自己適応伝送システム。
【請求項７】
前記ホスト及び前記各端末は、いずれも定位モジュールを含み、ホストは、前記各定位モジュール同士間の協働を介して自身の位置情報及び前記各端末の位置情報を獲得しており、
前記定位モジュールは、ＧＰＳモジュール、マイクロホンアレイ、又は、３Ｇネットワ
ーク受信機であることを特徴とする請求項６に記載のシステム。
【請求項８】
前記ホストは、自動制御リレーを含み、
前記ホストは、まず前記各端末を自動制御リレーの通信チャネルとリングし、次に、前記自動制御リレーにおける物理リンクの切り替えを介して、各通信信号と各通信チャネルとの対応付けを実現するために用いられるか、
若しくは、前記ホストは、前記自動制御リレーを含まず、
前記ホストは、ソフトウェアマッチング方式を用いて、まず、異なるアドレスの通信チャネルインターフェースが異なるパケットを伝送するように、前記各端末と各通信チャネルインターフェースとをマッチングし、次に、各通信信号パケットの目的通信チャネルインターフェースアドレスを変更することで、前記各通信信号と前記各通信チャネルインターフェースとの対応付けを実現することを特徴とする請求項６に記載のシステム。
【請求項９】
前記通信信号は、音声信号、制御信号及び映像信号のいずれか一種又は多種を含み、
前記ホストは音声信号を再生するデバイスであり、前記端末はスピーカーであるか、
若しくは、前記ホストは制御ホストであり、前記端末は信号灯であるか、
若しくは、前記ホストは映像信号を再生するデバイスであり、前記端末は表示スクリーンであることを特徴とする請求項６に記載のシステム。
【請求項１０】
前記ホスト及び前記各端末が複数のピアデバイスとなる場合、前記ホスト及び前記各端末は、いずれもネゴシエーションモジュールを含み、各ネゴシエーションモジュール同士間のネゴシエーション通信を介してホスト役及び端末役が確定されることを特徴とする請求項６に記載のシステム。
【発明の詳細な説明】
【技術分野】
【０００１】
本発明は、信号伝送技術分野に関し、特に、通信信号の自己適応伝送方法及びシステムに関する。
【背景技術】
【０００２】
現在、自動制御、通信等の分野において、さまざまな音声信号、映像信号及び制御信号等の伝送を必要とすることが多い。さらに、多重信号通信の応用が非常に普及されている。例えば、５．１チャネルサラウンドサウンドシステム、交通信号灯信号制御システム、及び、今では良く使われるマルチスクリーン組立式大型屋外表示システム等には、いずれも、異なる端末と多重通信信号とのマッチング問題が存在している。
【０００３】
従来の解決方法としては、まず、具体的な型番に応じて端末の接続関係の定義・配備（配線プロセス）を行っておき、次に、挿線（有線アクセス方式）を介して対応する信号チャネルに接続するようにしている。この有線アクセスの配備方式は、端末の数が少ない場合には、それほど困難ではないが、端末の数が多くなると、例えば、大型屋外設備またはコンサート現場の音響設備が、いずれも、数十個乃至数百個（例えばＬＥＤ屋外大型スクリーン）の信号端末に係わる場合、もし電力増幅器における出力インターフェース挿線に応じて、対応する音響端末と接続するとすれば、複雑で手間がかかるだけではなく、なおかつ信頼性も高くない。
【発明の概要】
【発明が解決しようとする課題】
【０００４】
これに鑑み、本発明は、通信信号の自己適応伝送方法及びシステムを提供し、本発明は、有線転送の複雑な配線及び挿線プロセスが省略できるとともに、信号の自己適応転送が実現され、ジョブ効率が向上する。
【課題を解決するための手段】
【０００５】
上記の目的を達成するために、本発明の構成は、以下のように実現されている。
【０００６】
本発明は、１つのホストと複数の端末とを含むシステムに用いられる通信信号の自己適応伝送方法を開示しており、該方法は、
ホストが、自身の位置情報及び各端末の位置情報を獲得し、獲得した位置情報に基づいて自身と各端末との間の相対位置関係を計算して得るステップと、
ホストが、自身と各端末との間の相対位置関係に基づき、伝送すべき各通信信号と各端末とをマッチングし、マッチング後の対応関係に応じて各端末へ相応の通信信号を無線伝送するステップとを含む。
【０００７】
本発明は、さらに、通信信号の自己適応伝送システムを開示しており、該システムは、
自身の位置情報及び各端末の位置情報を獲得し、獲得した位置情報に基づいて自身と各端末との間の相対位置関係を計算して得て、自身と各端末との間の相対位置関係に基づき、伝送すべき各通信信号と各端末とをマッチングし、マッチング後の対応関係に応じて各端末へ相応の通信信号を無線伝送するための１つのホストと、
自身の位置情報を獲得してホストヘ伝送し、ホストから伝送される通信信号を受信するための複数の端末を含む。
【発明の効果】
【０００８】
上記から分かるように、１つのホストと複数の端末とを含むシステムにおいて、ホスト
が、自身の位置情報及び各端末の位置情報を獲得し、獲得した位置情報に基づいて自身と各端末との間の相対位置関係を計算して得て、ホストが、自身と各端末との間の相対位置関係に基づき、伝送すべき各通信信号と各端末とをマッチングし、マッチング後の対応関係に応じて各端末へ相応の通信信号を無線伝送するようにしている本発明の構成は、ホストと各端末との間に無線伝送方式を用いるため、複雑な配線及び挿線プロセスを回避でき、そして、ホストが、自身と各端末との間の相対位置関係を獲得し、該相対位置関係に基づき、通信信号と端末とをマッチングして、通信信号を無線伝送しているため、無線信号の自己適応伝送が実現できる。
【図面の簡単な説明】
【０００９】
【図１】図１は、本発明実施例における通信信号の自己適応伝送方法のフローチャートである。
【図２】図２は、本発明実施例における位置情報計算の模式図である。
【図３】図３は、本発明実施例におけるホストが自動制御リレーを用いて通信信号と端末とのマッチングを実現する模式図である。
【図４】図４は、本発明実施例におけるソフトウェアマッチング方式を用いて通信信号と端末とのマッチングを実現する模式図である。
【図５】図５は、本発明実施例における音声再生システムの模式図である。
【図６】図６は、本発明実施例における５．１チャネルサウンドシステムの模式図である。
【図７】図７は、本発明実施例における信号灯システムの模式図である。
【図８】図８は、図７に示した実施例における信号灯２、３が互いに位置変換した後の模式図である。
【図９】図９は、本発明実施例における映画館信号灯システムの模式図である。
【図１０】図１０は、本発明実施例におけるマルチスクリーンテレビの模式図である。
【図１１】図１１は、本発明実施例における通信信号の自己適応伝送システムの模式図である。
【発明を実施するための形態】
【００１０】
本発明の目的、技術構成及び利点をより明らかにするために、以下、図面を参照しながら、本発明の実施形態をさらに詳しく説明する。
【００１１】
図１は、本発明実施例における通信信号の自己適応伝送方法のフローチャートである。該方法は、１つのホストと複数の端末とを含むシステムに用いられており、図１に示すように、
ホストが、自身の位置情報及び各端末の位置情報を獲得し、獲得した位置情報に基づいて自身と各端末との間の相対位置関係を計算して得るステップ１０１と、
ホストが、自身と各端末との間の相対位置関係に基づき、伝送すべき各通信信号と各端末とをマッチングし、マッチング後の対応関係に応じて各端末へ相応の通信信号を無線伝送するステップ１０２と、
を含む。
【００１２】
図１に示す方法は、有線伝送の複雑な配線及び挿線プロセスが省略できるとともに、信号の自己適応伝送が実現され、ジョブ効率が向上した。
【００１３】
図１に示す方法は、単一のホストシステムに用いられてもよい。この場合、図１に示す方法における前記ホスト及び端末は、同一デバイスにおける異なるモジュールである。図１に示す方法は、また、マルチコンポーネントシステムに用いられてもよい。この場合、図１に示す方法における前記ホスト及び端末は、それぞれ、独立したデバイスである。
【００１４】
マルチコンポーネントシステムにおいて、ホストと端末との間は、無線方式（例えばＢｌｕｅｔｏｏｔｈ（登録商標）やＷｉ−Ｆｉ（登録商標）等）によって接続される。
【００１５】
前記ホストデバイスは、音声信号を送信可能なデバイスであってもよいし、制御信号を送信可能なデバイスであってもよいし、映像信号等を送信可能なデバイスであってもよい。前記端末は、スピーカー、信号灯やマルチスクリーンテレビ等のデバイスであっても良い。
【００１６】
図１におけるステップ１０１に記載のホストが自身の位置情報及び各端末の位置情報を獲得する処理は、具体的な実現として、
ホストと各端末とが、いずれも定位モジュールを含み、ホストが、各定位モジュール同士間の協働を介して、自身の位置情報及び各端末の位置情報を獲得する処理を含む。
【００１７】
本発明において、ホスト及び各端末の定位モジュールは、先行技術におけるいかなる定位方法を用いて位置情報の獲得及び計算を実現してもよい。従って、前記定位モジュールは、ＧＰＳモジュール、マイクロホンアレイ、又は、３Ｇネットワーク受信機等であっても良い。
【００１８】
ここで、例を挙げて本発明の１つの実施例に採用される位置情報の計算方法を説明すると、図２に示す通りになる。
【００１９】
図２は、本発明実施例における位置情報計算の模式図である。図２に示すように、ホスト及び各端末の定位モジュールに獲得された位置情報に対して前処理を行うことで２次元座標系における点座標（Ｘｎ，Ｙｎ）が形成され、そのうち、ホストの位置情報には、座標がそれぞれＤ０（Ｘ０，Ｙ０）及びＤｔ（Ｘｔ，Ｙｔ）になる２つの位置点が含まれており、両点により定義される方向ベクトル（Ｄ０→Ｄｔ）が、端末各点の極座標を判断する基準とされており、そのうち、Ｄ０が極座標系の極点とされる。２次元座標系における計算によって、各端末とホストとの間の指向角度及び距離情報（Фｎ，Ｒｎ）を獲得でき、そして、Ф値の大小に応じてソーティングを行うことにより、偏向角座標配列が獲得され、それに対して（１…ｎ）といったように番号を付けて、各端末座標の番号が、その端末の、システムにおける通信位置座標となる。
【００２０】
図１に示すステップ１０２に記載のホストが伝送すべき各通信信号と各端末とをマッチングする処理は、多種の方式で実現可能である。本発明において、２種の実施方式を取り上げるが、それぞれ、図３及び図４に示す通りになる。
【００２１】
図３は、本発明実施例におけるホストが自動制御リレーを用いて通信信号と端末とのマッチングを実現する模式図である。図３に示すように、ホストは、自動制御リレーを用いて、まず各端末を自動制御リレーの通信チャネルとリングし、次に、自動制御リレーにおける物理リンクの切り替えを介して、各通信信号と各通信チャネルとの対応付けを実現する。
【００２２】
図４は、本発明実施例におけるソフトウェアマッチング方式を用いて通信信号と端末とのマッチングを実現する模式図である。図４に示すように、ホストは、まず、異なるアドレスの通信チャネルインターフェースが異なるパケットを伝送するように各端末と各通信チャネルインターフェースとをマッチングし、ソフトウェアにおいてアドレスの対応関係を実現し、「ソフトバス」という制御ロジックを実現し、次に、ホストは、各通信信号パケットの目的通信チャネルインターフェースアドレスを変更することで、各通信信号と各通信チャネルとの対応付けを実現する。
【００２３】
図１に示す方法が複数のピア（対等的な）デバイスからなるシステムに応用されると、該方法は、全てのステップを行う前に、さらに、プリセット方式を用いて、複数のピアデバイスから１つを選出してホストとして、その他のデバイスを端末とする処理を含む。ここで、プリセット方式として、人工的な配置を介してホスト役及び端末役を設定してもよく、若しくは、各ピアデバイスの間でネゴシエーションによりホスト役及び端末役を確定してもよい。
【００２４】
以下、図１に示す方法を応用する具体的な実施例をいくつか取り上げる。
【実施例１】
【００２５】
本実施例において、主に音声信号の自己適応伝送を実現する。前記ホストは、音声信号を再生するデバイスであり、前記端末は、スピーカーである。
【００２６】
図５は、本発明実施例における音声再生システムの模式図である。図５に示すように、該音声再生システムは、音楽を再生する１つの再生ホストと２つのスピーカーとを含む。再生ホスト及びスピーカーデバイス自体は、いずれも無線通信プロトコルをサポートし、互いに無線通信可能とすると、具体的な手順は、下記の通りになる。
【００２７】
１）システムにおける全てのメンバーの無線通信プロトコルをオンにして、再生ホストによりデバイスグループにおける他のメンバー、即ちスピーカー１及びスピーカー２を検索して接続する。
【００２８】
２）再生ホストに対するスピーカー１及びスピーカー２の位置状況を判断する。具体的に、再生ホストが無線通信プロトコルを介してスピーカー１及びスピーカー２にそれぞれ制御信号を送信してスピーカー１及びスピーカー２のそれぞれに音声ファイルを再生させ、それが再生ホストにより受信されると、再生ホストにおけるマイクロホンアレイが、自身に対するスピーカー１及びスピーカー２の位置状況を音源定位アルゴリズムによって判断し、図５に示すように、スピーカー１及びスピーカー２がそれぞれ発声するとき、再生ホストのマイクロホンアレイにおける４つのマイクロホンの音声を受信した時間が異なるため、スピーカーから発された音声信号がホストシステムにおける４つのマイクロホンに到達するまでの時間差がシステムにより算出でき、１６Ｋのサンプリング周波数の場合、最左側から最右側までマイクロホンのピッチが５ｃｍよりも小さくなってはならないと求められ、４８Ｋのサンプリング周波数の場合、そのピッチが２ｃｍよりも小さくなってはならないと求められる。方向感応機能を有する指向性マイクロホンを採用すれば、スピーカーの具体的な方向角がさらに獲得できる。これは、マルチスピーカーの場合の計算にもっと役立つ。ｔ（１，１）を、マイクロホン１がスピーカー１を受信した時刻として記録し、ｔ（４，１）を、マイクロホン４がスピーカー１を受信した時刻として記録し、また、ｔ（１，１）＞ｔ（４，１）であればその位置がホストの左側となり、逆であればホストの右側となると定義し、これにより、左チャネルの信号をスピーカー２に伝送し、右チャネルの信号をスピーカー１に伝送することが可能となる。
【００２９】
３）再生ホストに対するスピーカー１及びスピーカー２の位置を判明した後、再生ホストは、次の処理を行う。即ち、左チャネルの音声信号をスピーカー２に伝送し、右チャネルの信号をスピーカー１に伝送し、このとき、スピーカー１及びスピーカー２が、それぞれ、自身の無線通信プロトコルを介して各自の音声信号を受信して出力することが可能となる。
【００３０】
上記実施例から分かるように、スピーカーの位置さえ適切に配置しておき、再生ホストにより各スピーカーの相対位置を自動的に判明し、各スピーカーに相応チャネルの音声信
号を伝送するようにすれば、音声信号の自己適応伝送が実現され、余計な挿線による手間が省かれる。
【００３１】
図６は、本発明実施例における５．１チャネルサウンドシステムの模式図である。図６に示すシステムが５．１チャネルサウンドシステムであり、上記の位置判断方法を用いてホストに対する６つのスピーカーの位置状況を判明することも可能であるため、再生ホストは、異なるチャネルの音声信号を対応するスピーカーに伝送し、各スピーカーにより各自の音声信号を受信して出力することが可能となる。
【実施例２】
【００３２】
本実施例において、主に制御信号の自己適応伝送を実現する。前記ホストは、制御ホストであり、前記端末は、信号灯である。
【００３３】
制御信号の応用が多くあり、例えば、交通信号灯の切り替え、あるデバイスのオン・オフ状態等がある。
【００３４】
図７は、本発明実施例における信号灯システムの模式図である。図７に示すように、該信号灯システムは、１つの制御ホストと少なくとも２つの信号灯とを含んでおり、各信号灯は、赤又は緑の２種の状態を表示可能で、制御ホスト及び信号灯には、いずれも定位デバイスが実装されている。図７において、信号灯１と信号灯２とをワングループにグループ化し、信号灯３と信号灯４とをワングループにグループ化している。もちろん、信号灯のグループ化は、自らの希望に応じて変更しても良く、本実施例では単に可能なグループ化の一種を取り上げている。制御ホストは、自身に対する４つの信号灯の相対位置を、予め定められた位置情報の計算方法を介して定位する。制御ホストは、自身の傍らに信号灯１が位置し、自身の遠端（対向端）に信号灯２が位置していると発見したら、信号灯１、２等を纏めてグループ化する一方、信号灯３、４が制御ホストの左右両側に位置すれば、信号灯３、４をワングループにグループ化する。位置判定が完成した後、制御ホストは、グループ化の結果に基づいて、表示すべき制御信号を２つのグループにそれぞれ伝送するが、制御信号及び通信チャネルの切り替えは、制御ホストにおける自動制御リレーによって完成可能である。
【００３５】
図８は、図７に示す実施例における信号灯２、３が互いに位置変換した後の模式図である。図８に示すように、制御ホストは、改めて信号灯の相対位置を定位し、各信号灯の相対位置を定位できた後、相応の制御信号を４つの信号灯に伝送し、このとき、信号灯２及び信号灯４がワングループとなって同一の通信チャネルを共有する一方、信号灯３及び信号灯１がワングループとなって他の通信チャネルを共有することになる。これにより、制御信号の自己適応を実現した。
【００３６】
上記の応用場面について、例を挙げて説明する。例えば、映画館の入口及び出口において、緑点灯のところが入口を表し、赤点灯のところが出口を表しようとすれば、本実施例の方法によって実現可能となり、制御方式としては、制御ホストの左側における信号灯が赤点灯し、右側における信号灯が緑点灯するように制御すればよく、配置方式としては、図９に示した通りとすればよく、図９は、本発明実施例における映画館信号灯システムの模式図である。このように、出口及び入口の位置を切り替えようとする際に、制御ホストが各自の位置を再度判断することだけで、制御信号を切り替えることが可能となる。
【実施例３】
【００３７】
本実施例において、主に映像信号の自己適応伝送を実現する。前記ホストは、映像信号を再生するデバイスであり、前記端末は、表示スクリーンである。
【００３８】
図１０は、本発明実施例におけるマルチスクリーンテレビの模式図である。図１０に示すように、該マルチスクリーンテレビは、１つの再生ホストと９つのスクリーンとを含んでおり、再生ホスト及び９つのスクリーンは、いずれも無線通信プロトコルをサポートしており、そして、再生ホスト及び各スクリーンには、いずれも、付属の定位デバイスが実装されている。再生ホストは、９つのスクリーンの相対位置を予め定められた位置情報の計算方法によって判断し、次に、無線通信プロトコルを介して、スクリーン１に対応する信号をスクリーン１に伝送し、スクリーン２に対応する信号をスクリーン２に伝送し、スクリーン３に対応する信号をスクリーン３に伝送するといったように、異なるスクリーンの信号を対応するスクリーンに出力して、各スクリーンは、自身の無線受信装置を介して各自の信号を受信して表示出力することが可能となる。
【００３９】
このように、再生ホストが自身に対する各スクリーンの相対位置さえ判明できれば、異なる映像信号を対応するスクリーンに出力可能となるため、毎回も挿線によって各スクリーンと対応付ける必要がなくなる。
【００４０】
上記の実施例に基づいて本発明における通信信号の自己適応伝送システムの一種を取り上げる。
【００４１】
図１１は、本発明実施例における通信信号の自己適応伝送システムの模式図である。図１１に示すように、該システムは、
自身の位置情報及び各端末１１０２の位置情報を獲得し、獲得した位置情報に基づいて自身と各端末１１０２との間の相対位置関係を計算して得て、自身と各端末１１０２との間の相対位置関係に基づき、伝送すべき各通信信号と各端末１１０２とをマッチングし、マッチング後の対応関係に応じて各端末１１０２へ相応の通信信号を無線伝送するための１つのホスト１１０１と、
自身の位置情報を獲得してホスト１１０１に伝送し、ホスト１１０１から伝送される通信信号を受信するための複数の端末１１０２を含む。
【００４２】
図１１において、ホスト１１０１及び各端末１１０２は、いずれも定位モジュール１１０３を含んでおり、ホスト１１０１は、各定位モジュール１１０３同士間の協働を介して、自身の位置情報及び各端末１１０２の位置情報を獲得する。
【００４３】
前記定位モジュール１１０３は、ＧＰＳモジュール、マイクロホンアレイ又は３Ｇネットワーク受信機等であっても良い。
【００４４】
図１１において、前記ホスト１１０１は、自動制御リレー（図１０に示されていない）を含んでも良い。
【００４５】
前記ホスト１１０１は、まず各端末と自動制御リレーの通信チャネルとをマッチングし、次に、自動制御リレーにおける物理リンクの切り替えを介して、各通信信号と各通信チャネルとの対応付けを実現するために用いられ、
若しくは、図１１における前記ホストは、自動制御リレーを含まず、ソフトウェアマッチング方式を用いて、まず、異なるアドレスの通信チャネルインターフェースが異なるパケットを伝送するように各端末を各通信チャネルインターフェースとリングして、次に、各通信信号パケットの目的通信チャネルインターフェースアドレスを変更することで、各通信信号と各通信チャネルとの対応付けを実現する。
【００４６】
図１１において、前記ホスト１１０１は、音声信号を再生するデバイスであり、前記端末１１０２は、スピーカーであるか、
若しくは、前記ホスト１１０１は、制御ホストであり、前記端末１１０２は、信号灯で
あるか、
若しくは、前記ホスト１１０１は、映像信号を再生するデバイスであり、前記端末１１０２は、表示スクリーンである。
【００４７】
本発明の１つの実施例において、通信信号の自己適応伝送システムが複数のピアデバイスからなる場合、該複数のピアデバイスは、いずれもネゴシエーションモジュールを含み、各ネゴシエーションモジュール同士間のネゴシエーション通信によってホスト役及び端末役が確定される。例えば、図１１に示すシステムにおいて、ホスト１１０１及び各端末１１０２が複数のピアデバイスであれば、ホスト１１０１及び各端末１１０２は、いずれもネゴシエーションモジュール１１０４を含み、各ネゴシエーションモジュール１１０４同士間のネゴシエーション通信を介してホスト役及び端末役が確定される。
【００４８】
以上をまとめると、１つのホストと複数の端末とを含むシステムにおいて、ホストが、自身の位置情報及び各端末の位置情報を獲得し、獲得した位置情報に基づいて自身と各端末との間の相対位置関係を計算して得て、ホストが、自身と各端末との間の相対位置関係に基づき、伝送すべき各通信信号と各端末とをマッチングし、マッチング後の対応関係に応じて各端末へ相応の通信信号を無線伝送するようにしている本発明の構成は、ホストと各端末との間に無線伝送方式を用いるため、複雑な配線及び挿線プロセスを回避でき、そして、ホストが、自身と各端末との間の相対位置関係を獲得し、該相対位置関係に基づき、通信信号と端末とをマッチングし、次に、通信信号を無線伝送しているため、無線信号の自己適応伝送が実現できる。
【００４９】
上記の説明は、あくまでも本発明の好ましい実施形態であり、本発明の保護範囲は、これに限定されるものではない。本発明の精神及び原則内に行われたいかなる変更、均等な置き換えや改善等は、全て、本発明の保護範囲に含まれるものとする。
【図１】
2015503868.tif 000003
【図２】
2015503868.tif 000004
【図３】
2015503868.tif 000005
【図４】
2015503868.tif 000006
【図５】
2015503868.tif 000007
【図６】
2015503868.tif 000008
【図７】
2015503868.tif 000009
【図８】
2015503868.tif 000010
【図９】
2015503868.tif 000011
【図１０】
2015503868.tif 000012
【図１１】
2015503868.tif 000013
【国際調査報告】
2015503868.tif 000014
2015503868.tif 000015
2015503868.tif 000016
2015503868.tif 000017